(57)【要約】【課題】蛍光観察中も周囲の状態を観察可能な手術用顕微鏡の照明構造を提供する。【解決手段】光学フィルター２１〜２３を通過することにより照明光Ｌは励起光Ｅ１〜Ｅ３となり、患部Ｔの対象部分を蛍光発光させることができる。また光学フィルター２１〜２３の光学薄膜１２には除去部２５が形成されており、除去部２５から照明光（白色光）Ｌを少しだけ（励起光Ｅ１〜Ｅ３に対して５％以下の強度）、患部Ｔに向けて照射するため、蛍光を確認しながら、その周囲の状態も確認することができる。【選択図】図７
2020003749.tif 000002
【特許請求の範囲】
【請求項１】
光源装置の光源から発した照明光を手術顕微鏡に導き、該照明光を手術顕微鏡から患部に向けて照射する手術用顕微鏡の照明構造であって、
前記照明光は可視光波長範囲と蛍光観察用の励起波長範囲を含み、
光源から手術顕微鏡に至る照明光の光路中には光学フィルターが出し入れ自在に配置され、
該光学フィルターは透明ガラスの表面に励起波長範囲の励起光だけを透過する光学薄膜が形成されていると共に、光学薄膜の一部に除去部が形成され、該除去部を介して白色光を励起光に対して５％以下の強度で患部に向けて照射可能であることを特徴とする手術用顕微鏡の照明構造。
【請求項２】
光学フィルターにおける光学薄膜の除去部が、レーザー加工によりライン状に形成されていることを特徴とする請求項１記載の手術用顕微鏡の照明構造。
【発明の詳細な説明】
【技術分野】
【０００１】
本発明は手術用顕微鏡の照明構造に関する。
【背景技術】
【０００２】
近年の医学において、患者に蛍光物質を投与し、患部への集積が進んだ段階で、その蛍光物質を励起できる波長の励起光を照射し、患部だけを蛍光させて手術を行う技術が知られている。
【０００３】
蛍光物質としては、フルオレセイン、インドシアニングリーン（ＩＣＧ）などが知られている。この種の励起光は、患部を観察する手術顕微鏡の照明光を利用して行われる。すなわち、もともと患部には観察するために手術顕微鏡から照明光が照射されるため、その照明光を利用すれば便利である。
【０００４】
照明光は光源装置の光源で発生し、それを光ケーブルにより手術顕微鏡に導いて、手術顕微鏡から患部に照射する。光源装置における光源からの光路の途中には、励起に必要な波長の励起光だけを透過する光学フィルターが出し入れ自在に設けられている。光学フィルターを光路から外した場合には、光源からの照明光はそのまま白色光として患部に照射され、光学フィルターを光路中に置いた場合は、照明光中の励起光成分だけが光学フィルターを透過して、患部に照射される。励起光を患部に照射して蛍光観察を行う場合、手術室の無影灯は微弱な蛍光を観察する際に邪魔になるため消灯される。そして患部中において蛍光部分だけが暗闇の中で白く発光する（例えば、特許文献１参照）。
【先行技術文献】
【特許文献】
【０００５】
【特許文献１】特開２００４−１６３４１３号公報
【発明の概要】
【発明が解決しようとする課題】
【０００６】
このように従来は、無影灯を消灯した状態で蛍光観察するため、蛍光部分は白く発光するが、その周囲は暗くて見ることができない。
【０００７】
しかしながら、手術の状況によっては、蛍光部分だけでなく、その患部の周囲も観察したいという要請がある。
【０００８】
本発明は、このような要請に応じてなされたものであり、蛍光観察中も周囲の状態を観察可能な手術用顕微鏡の照明構造を提供するものである。
【課題を解決するための手段】
【０００９】
本発明の第１の技術的側面によれば、光源装置の光源から発した照明光を手術顕微鏡に導き、該照明光を手術顕微鏡から患部に向けて照射する手術用顕微鏡の照明構造であって、前記照明光は可視光波長範囲と蛍光観察用の励起波長範囲を含み、光源から手術顕微鏡に至る照明光の光路中には光学フィルターが出し入れ自在に配置され、該光学フィルターは透明ガラスの表面に励起波長範囲の励起光だけを透過する光学薄膜が形成されていると共に、光学薄膜の一部に除去部が形成され、該除去部を介して白色光を励起光に対して５％以下の強度で患部に向けて照射可能であることを特徴とする。
【００１０】
本発明の第２の技術的側面によれば、光学フィルターにおける光学薄膜の除去部が、レーザー加工によりライン状に形成されていることを特徴とする。
【発明の効果】
【００１１】
本発明の第１の技術的側面によれば、光学フィルターを通過することにより照明光は励起光となり、患部の対象部分を蛍光発光させることができる。また光学フィルターの光学薄膜には除去部が形成されており、除去部から白色光を少しだけ（励起光に対して５％以下の強度）、患部に向けて照射するため、蛍光を確認しながら、その周囲の状態も確認することができる。
【００１２】
本発明の第２の技術的側面によれば、光学フィルターにおける光学薄膜の一部をレーザー加工によりライン状に除去することで除去部を形成するため、光学フィルターの製造が容易である。
【図面の簡単な説明】
【００１３】
【図１】スタンド装置を示す全体斜視図。
【図２】スタンド装置の本体を示す斜視図。
【図３】本体内の光源装置を示す斜視図。
【図４】光源装置の要部を示す断面図。
【図５】回転板を示す図。
【図６】種類の異なる光学フィルターにより必要な波長成分だけを透過させる状態を示す説明図。
【図７】光学フィルターの除去部を示す図。
【図８】除去部の形成方法を示す断面図。
【図９】キセノンランプの放射スペクトル分布を示すグラフ。
【発明を実施するための形態】
【００１４】
図１〜図９は、本発明の好適な実施形態を示す図である。スタンド装置１は、本体２とアーム３から構成されている。アーム３の先端にはバランスを保たれた状態で手術顕微鏡４が支持されている。
【００１５】
アーム３は中空構造で内部に光ケーブル５が配策されている。光ケーブル５の一端は手術顕微鏡４に接続され、手術顕微鏡４の内部光路を通過して、手術顕微鏡４の底面に形成された照射口（図示せず）から患部Ｔへ向けて、後述する照明光Ｌや励起光Ｅ１〜Ｅ３を照射できるようになっている。
【００１６】
スタンド装置１の本体２の内部には光源装置６が設置されている。光源装置６は、メインランプ収納部７と、スペアランプ収納部８が上下に設けられている。そして、本体２のドア９を開けて、各収納部７、８へそれぞれ光源１０としてのキセノンランプを収納することができる。
【００１７】
メインランプ収納部７の前には、上方に可動ミラー１３が設けられている。スペアランプ収納部８の前には固定ミラー１４が設けられている。メインランプ収納部７内の光源１０が故障した場合には、スペアランプ収納部８側の光源１０に点灯を切り換えると共に、可動ミラー１３を下降させ、下方に位置するスペアランプ収納部８側の光源１０の照明光Ｌを固定ミラー１４で上方へ反射した後、下降した可動ミラー１３により本来の光路に導くようになっている。
【００１８】
メインランプ収納部７の光路中には集光レンズ１５が設けられ、その集光点に光ケーブル５の他端が固定されている。集光レンズ１５とメインランプ収納部７の間には回転板１６が設けられ、その回転板１６には４つの孔１７〜２０が形成されている。１つの孔１７は空いており、その他の３つの孔１８〜２０には光学フィルター２１〜２３が設けられている。これらの光学フィルター２１〜２３は、蛍光物質に応じて必要な波長の励起光Ｅ１〜Ｅ３を選択的に透過するバンドパスフィルターである。回転板１６が回転することにより、必要な光学フィルター２１〜２３が光路中に出し入れされる。光ケーブル５の他端と集光レンズ１５の間には、回転することで光量を無段階で連続的に調整可能な円板状の光量調整フィルター２４が設けられている。
【００１９】
光学フィルター２１〜２３は透明ガラス１１の表面に光学薄膜１２を蒸着した構造で、光学薄膜１２の一部には中心から３本の直線状の除去部２５が形成されている。除去部２５はいったん透明ガラス１１の全面に光学薄膜１２を形成し、その後に、レーザー照射装置２６からのレーザー光Ｒを走査しながら光学薄膜１２に対して照射し、光学薄膜１２の一部をライン状に除去したものである。レーザー光Ｒによる除去部２５の形成は、光学薄膜１２の厚さ以上である必要があり、深く除去し過ぎて透明ガラス１１側が多少削れても問題ない。
【００２０】
次に、蛍光物質としてフルオレセインを使用する場合の作用を説明する。フルオレセインを使用する場合は、回転板１６を回転させて、光学フィルター２１が照明光Ｌの光路中に位置するようにする。フルオレセインは４９０ｎｍ付近の励起光を受けて、５２０ｎｍ付近の蛍光を発生する。
【００２１】
光源１０は図９に示すような放射スペクトル分布を有する照明光Ｌを平行光として照射する。すなわち、照明光Ｌには可視光波長範囲も、それ以外の赤外波長範囲も含まれている。そのため照明光Ｌにはフルオレセインの励起波長である４９０ｎｍも含まれており、光学フィルター２１はその４９０ｎｍ付近だけを励起光Ｅ１として透過する。
【００２２】
患者には予めフルオレセインが投与されており、患部Ｔにフルオレセインが集積した段階で、そのフルオレセインを励起できる波長の励起光Ｅ１を照射して患部だけを蛍光させる。
【００２３】
蛍光観察を行う場合は、手術室の無影灯は消されるため、今までは蛍光部分だけしか観察することができなかった。しかしこの光学フィルター２１には除去部２５が形成されているため、除去部２５を通して光学薄膜１２を通過しない照明光Ｌを白色光として患部Ｔに照射することができる。そのため、無影灯の消灯状態でありながら、除去部２５を透過したわずかな白色光により患部Ｔの周辺も確認することができる。患部Ｔに照射する白色光はあまり強度が強すぎると、本来の蛍光観察の邪魔になるため、励起光Ｅ１に対して５％以下でなければならない。
【００２４】
他の蛍光物質を使用する場合も、フルオレセインとほぼ同様である。
【００２５】
照明光Ｌの光路中には、光学フィルター２１〜２３に加えて、蛍光に関与しない赤外波長範囲の光をカットするフィルターを固定した状態で設けても良い。そうすることにより、不要な赤外波長範囲をカットして、手術中に患部Ｔが加熱されて乾燥するのを防止することができる。なお、蛍光観察用の励起波長範囲が可視光波長範囲に含まれる場合、一部含まれる場合、あるいは可視光波長範囲に含まれない場合がある。
【００２６】
以上の説明では光源装置６をスタンド装置１の本体２に設ける例を示したが、スタンド装置１とは別に設けても良い。
【符号の説明】
【００２７】
４  手術顕微鏡
６  光源装置
１０  光源
１１  透明ガラス
１２  光学薄膜
２１〜２３  光学フィルター
２５  除去部
Ｌ  照明光（白色光）
Ｒ  レーザー光
Ｅ１〜Ｅ３  励起光
【図１】
2020003749.tif 000003
【図２】
2020003749.tif 000004
【図３】
2020003749.tif 000005
【図４】
2020003749.tif 000006
【図５】
2020003749.tif 000007
【図６】
2020003749.tif 000008
【図７】
2020003749.tif 000009
【図８】
2020003749.tif 000010
【図９】
2020003749.tif 000011